(57)【要約】【課題】  使用者がタイマー消灯時間を選択することが可能とする。また、選択した消灯時間に合わせブザー音を指定回数鳴らし、使用者がタイマー消灯時間を誤って認識することを防止する。【解決手段】光源３を点灯させる点灯回路１を備える。前記点灯回路１を制御する制御回路７を備える。前記制御回路７で制御されブザー音等を発する音源装置８を備える。遠隔操作用の赤外線リモコン送信機４を備える。前記赤外線リモコン送信機４からの赤外線信号を受けそれを前記制御回路７へ伝達する赤外線受光装置５を備える。前記リモコン送信機４を操作し所定時間経過後に前記光源３を消灯させるタイマー消灯機能を備える。前記リモコン送信機４は前記所定時間の長さを選択する機能を具備する。前記制御回路７は前記選択に応じた互いに異なるブザー音等を選択し出力するように前記音源装置８に指令する機能を具備する。【選択図】    図１
2006228696.tif 000002
【特許請求の範囲】
【請求項１】
光源を点灯させる点灯回路を備え、前記点灯回路を制御する制御回路を備え、前記制御回路で制御されブザー音等を発する音源装置を備え、遠隔操作用の赤外線リモコン送信機を備え、前記赤外線リモコン送信機からの赤外線信号を受けそれを前記制御回路へ伝達する赤外線受光装置を備え、前記リモコン送信機を操作し所定時間経過後に前記光源を消灯させるタイマー消灯機能を備え、前記リモコン送信機は前記所定時間の長さを選択する機能を具備し、前記制御回路７は前記選択に応じた互いに異なるブザー音等を選択し出力するように前記音源装置に指令する機能を具備することを特徴とする照明灯点灯装置。
【発明の詳細な説明】
【技術分野】
【０００１】  本発明はタイマー消灯機能を内蔵した照明灯点灯装置に関する。
【背景技術】
【０００２】  リモコン送信機にてタイマー消灯信号を送信すると、点灯装置を制御する制御回路がこの信号を受信し、点灯装置内部で消灯までの時間をカウントし、所定時間経過後、光源を消灯する。このような点灯装置内部にタイマーカウント機能を持つ制御回路方式の場合、リモコン送信機自体にタイマーカウント機能を内蔵したものと違い、設定できるタイマー消灯時間は３０分で固定であった。
【発明の開示】
【発明が解決しようとする課題】
【０００３】  タイマー消灯時間が３０分で固定であると、使用者が任意のタイマー消灯時間を選択できない。これにより使用者の望む時間で消灯させることができないので不便である。本発明が解決しようとする課題は、前記不便性を改善することにある。
【課題を解決するための手段】
【０００４】  前記課題を解決するため、リモコン操作でタイマー消灯時間を選択できるようにする。このとき、リモコン送信機のタイマー消灯ボタンを押し続け、赤外線信号を点灯装置に向け特定の時間送り続けることによって、点灯装置の制御回路側で信号受信時間を解析し、消灯までの時間を複数選択できるようにする。また、選択されたタイマー消灯時間を使用者に知らせるため、ブザー音等を鳴らす回数をタイマー消灯時間ごとに変化させるようにする。
【発明の効果】
【０００５】  本発明により、タイマー消灯機能を内蔵する点灯装置において、使用者がタイマー消灯時間を選択することが可能となる。また、選択した消灯時間に合わせブザー音を指定回数鳴らすので、使用者がタイマー消灯時間を誤って認識することがない。
【発明を実施するための最良の形態】
【０００６】  図１を用いて本発明の実施形態について説明する。本発明の照明灯点灯装置は、光源３を点灯させる点灯回路１を備える。前記点灯回路１を制御する制御回路７を備える。前記制御回路７で制御されブザー音等を発する音源装置８を備える。遠隔操作用の赤外線リモコン送信機４を備える。前記赤外線リモコン送信機４からの赤外線信号を受けそれを前記制御回路７へ伝達する赤外線受光装置５を備える。前記リモコン送信機４を操作し所定時間経過後に前記光源３を消灯させるタイマー消灯機能を備える。前記リモコン送信機４は前記所定時間の長さを選択する機能を具備する。前記制御回路７は前記選択に応じた互いに異なるブザー音等を選択し出力するように前記音源装置８に指令する機能を具備する。【０００７】  光源３は例えば放電灯である。点灯回路１はインバータ回路である。制御回路７はインバータ回路１のスイッチングを制御する機能を持つ。点灯回路１は家庭用の電源２（１００Ｖ／５０ＨＺまたは１００Ｖ／６０ＨＺ）により動作する。点灯回路１は放電灯３を３つの点灯状態、すなわち最大定格出力（全光束１００％）で点灯し、最大定格の半分の出力（全光束５０％）でも点灯し、また消灯させることができる。赤外線リモコン送信機４に付属する各種ボタンを押すことによりこれらの点灯状態を変更することができる。【０００８】  赤外線リモコン送信機４にはこれに加えタイマー消灯ボタンが設置されており、点灯回路１の点灯状態に関係なく、赤外線リモコン送信機４のいずれかのボタンを押すことで、赤外線受光装置５へ信号が送られたことを示すために、音源装置８よりブザー音等を１回鳴らし、赤外線リモコン送信機４の操作者へ知らせる。
光源３が点灯状態にあるとき、赤外線リモコン送信機４の前記タイマー消灯ボタンを短く１回押すと、制御回路７はボタンが押される直前の点灯状態を維持したままタイマーカウントに入り、たとえば１０分後に光源３を消灯する。ただし、タイマーカウント中に赤外線リモコン送信機４のいずれかのボタンが押されると、タイマーカウントは解除され、押されたボタンに応じた制御が優先してなされる。【０００９】  赤外線リモコン送信機４のタイマー消灯ボタンを一定時間押したままの状態にした後に放すと、押し続けた長さに応じてタイマー消灯時間が変化する。図２がタイマー消灯動作図であり、ボタンを押しつづけた時間が５秒未満の場合は１０分後に消灯し、１０秒未満の場合は２０分後に消灯し、１５秒未満の場合は３０分後に消灯する。このように、ボタンを押し続ける時間が５秒を過ぎるごとに消灯までの時間が１０分ずつ延長される。また、操作者にタイマー消灯時間が何分で設定されたかを知らせるために、ボタンを押し続けて５秒経過したら２回のブザー音等を鳴らし、１０秒経過すると３回のブザー音等を鳴らし、１５秒経過すると４回のブザー音等を鳴らす。このようにタイマー消灯時間が切り替わるタイミングで連続したブザー音を鳴らし、鳴らす回数をボタンを押しつづけた時間に応じて増やす。例えば図２（１）のようにタイマー消灯ボタンを６秒間押し続けた後に放す場合、押してから５秒後にブザー音を２回鳴らし、ボタンを放した２０分後に光源３を消灯させる。図２（２）のようにタイマー消灯ボタンを１８秒間押した後に放す場合、５秒後にブザー音を２回鳴らし、１０秒後にブザー音を３回鳴らし、１５秒後にブザー音を４回鳴らし、ボタンを放した４０分後に光源３を消灯させる。【００１０】  ボタンを押し続けることによるタイマー消灯時間が切り替わるタイミング（上記例では５秒間隔）や、タイマー消灯時間の増加割合（上記例では１０分ずつ増加）、ブザー音等の鳴る回数などの諸定数は適宜に変更可能である。また、点灯回路１の光源３は放電灯でなく豆球等であっても構わない。
【図面の簡単な説明】
【００１１】
【図１】発明装置のブロック図
【図２】そのタイマー消灯動作説明図
【符号の説明】
【００１２】１：点灯回路
３：光源
４：赤外線リモコン送信機
５：赤外線受光装置
７：制御回路
８：音源装置
【図１】
2006228696.tif 000003
【図２】
2006228696.tif 000004